【手続補正書】
【提出日】平成29年11月27日(2017.11.27)
【手続補正１】
【補正対象書類名】特許請求の範囲
【補正対象項目名】全文
【補正方法】変更
【補正の内容】
【特許請求の範囲】
【請求項１】
逆円錐台状底部又は筒状底部を備えた装置本体の上方に粒状焼成カルシウム投入口を備え、下方に水導入手段が前記装置本体の円周方向に水を導入するように備えられるとともに前記装置本体の底には突起物が設けられ、前記装置本体の上部にはフィルターを備えた水溶液取出口が設けられたことを特徴とする焼成カルシウム飽和溶液生成装置。
【請求項２】
逆円錐台状底部又は筒状底部を備えた装置本体の上方に粒状焼成カルシウム投入口を備え、下方に水導入手段が前記装置本体の円周方向に水を導入するように備えられるとともに前記装置本体の底には突起物が設けられ、前記装置本体の上部には水溶液取出口が設けられ、該水溶液取出し口の下流側にフィルターハウジングが設けられたことを特徴とする焼成カルシウム飽和溶液生成装置。
【手続補正２】
【補正対象書類名】明細書
【補正対象項目名】０００４
【補正方法】変更
【補正の内容】
【０００４】  本発明は、上記課題を解決するためになされたもので、請求項１に記載された焼成カルシウム飽和溶液生成装置は、逆円錐台状底部又は筒状底部を備えた装置本体の上方に粒状焼成カルシウム投入口を備え、下方に水導入手段が前記装置本体の円周方向に水を導入するように備えられるとともに前記装置本体の底には突起物が設けられ、前記装置本体の上部にはフィルターを備えた水溶液取出口が設けられたことを特徴とする。
請求項２に記載された焼成カルシウム飽和溶液生成装置は、逆円錐台状底部又は筒状底部を備えた装置本体の上方に粒状焼成カルシウム投入口を備え、下方に水導入手段が前記装置本体の円周方向に水を導入するように備えられるとともに前記装置本体の底には突起物が設けられ、前記装置本体の上部には水溶液取出口が設けられ、該水溶液取出し口の下流側にフィルターハウジングが設けられたことを特徴とする。
【手続補正３】
【補正対象書類名】明細書
【補正対象項目名】０００９
【補正方法】変更
【補正の内容】
【０００９】つぎに、本発明の第一の実施形態の焼成カルシウム飽和溶液生成装置２２による焼成カルシウム飽和溶液の生成法を説明する。
まず、装置本体１内に水を半分程度貯水した状態で、粒状焼成カルシウム投入口２の蓋２３を開けて、粒状焼成カルシウムを投入し蓋を閉め、水量調整バルブ１０を開けて装置本体１内に水導水ノズル９より水圧のある水を供給する。
すると水導入ノズル９から導入された水による回転水流が発生し、同時に粒状焼成カルシウムの回転が始まり、水流調整板６の効果が加わり、粒状焼成カルシウムが溶解しながら上昇し、焼成カルシウム飽和溶液がフィルター４を通過し水溶液取出口５を経由して水溶液取出パイプ２１から放出される。未溶解の粒状焼成カルシウムは筒状本体１ａの中心部を経由して逆円錐状底部１ｂに向かって下降し、突起物１１により円周方向に分散し、導入水の回転水流と水流調整板６により粒状焼成カルシウムは再び上昇し、上昇下降を繰り返す。
なお、フィルター４の目詰まりを防ぐには装置本体１内の溶液のうちフィルター４に接触する溶液は透明度が高いことが望ましい。
また、フィルター４の側面に付着した未溶解の粒状焼成カルシウムも剥がれて底部へ下降する。フィルター４の目詰は圧力計１２の交換指針で把握が出来、フィルター交換蓋７を開けて交換できる装置である、そして装置本体１が透明な樹脂で構成されている場合は、粒状焼成カルシウムの残量の確認が容易である。
【手続補正４】
【補正対象書類名】明細書
【補正対象項目名】００１１
【補正方法】変更
【補正の内容】
【００１１】  本発明の実施例として、家庭用に使用される小型装置の例を説明する。筒状本体１ａの外形は直径２０ｃｍ、高さは６０ｃｍを採用した。
【手続補正５】
【補正対象書類名】明細書
【補正対象項目名】００１２
【補正方法】変更
【補正の内容】
【００１２】図１において、焼成カルシウム飽和溶液が生成される工程を説明する。水導入パイプ３より装置本体１へ約１１の水を入れ、粒状焼成カルシウム投入口２より粒状焼成カルシウムを１００ｇ投入した３０分後、内径４ｍｍの水導入パイプ３より毎分２１、水圧０．３Ｍｐａの水を入れると、逆円錐状底部の底に沈殿し蓄積した粒状焼成カルシウム８が水と同じく円周回転運動で溶解を始め、装置本体１の上部へ回転しながら上部のフィルター４でろ過され、カルシウム飽和溶液が内径６ｍｍの水溶液取出口５より水溶液取出パイプ２１を経てペーハー値１２．７の強アルカリ溶液が連続生成された。
【手続補正６】
【補正対象書類名】明細書
【補正対象項目名】００１３
【補正方法】変更
【補正の内容】
【００１３】上記実施例において、フィルター４は濾過精度：１ミクロンのものを使用したところ、粒状焼成カルシウム１００ｇに対して９０１の無色透明なｐｈ１２．３〜１２．７飽和溶液を確認された。
【手続補正７】
【補正対象書類名】明細書
【補正対象項目名】００１４
【補正方法】変更
【補正の内容】
【００１４】なお、濾過精度：１０ミクロンのフィルター４を使用したところ、粒状焼成カルシウム１００ｇに対し半透明な飽和溶液が確認され、得られた飽和溶液を洗浄目的で使用する場合、真水にて洗い流しが必要であり、スプレー式ボトルに入れて使用する場合では溶解してない粒状焼成カルシウムによるスプレー式ボトルの目詰まりを起こしやすい。砂場等の散布など目的にあった使用ができる。
【手続補正８】
【補正対象書類名】明細書
【補正対象項目名】００１３
【補正方法】変更
【補正の内容】
【００１３】  次に、本発明の第二の実施形態を図５〜図７を参照して説明する。装置本体１０１は逆円錐状本体１０１ａと筒状底部１０１ｂとからなり、逆円錐本体１０１ａの上部には白濁水溶液取出口１１１及び粒状焼成カルシウム投入口１０７が設けられ、該水溶液取出口５には白濁水溶液取出パイプ２１が備えられている。前記水溶液取出パイプ２１の下流側にはサイクロンフィルター１０２が接続されている。該サイクロンフィルター１０２の上部には焼成カルシウム溶液取出パイプ１０４が接続されている。前記焼成カルシウム溶液取出パイプ１０４には圧力計１１２が取り付けられている。前記焼成カルシウム溶液取出パイプ１０４の下流側にはフィルターハウジング１０３が接続されている。前記フィルターハウジング１０３の出口側にはｐｈ電極ハウジング１０５が接続されていて水溶液取出し口１１３から焼成カルシウム溶液が放出されるように構成されている。筒状底部１０１ｂには円錐状の突起物１１９が前記筒状底部１０１ｂの底部１７に設けられている。前記筒状底部１０１ｂの側壁に水導入手段としての高速流量ノズル１２０が図５おいて左側に３個取り付けられていて、右側に２個取り付けられていて、右側に２個は左側の高速流量ノズル１２０に対向するように取り付けられている。なお、前記高速流量ノズル１２０の吐出方向は前記筒状底部１０１ｂの円周方向を向いている。
さらに、前記逆円錐状本体１０１ａの上部に粒状焼成カルシウム投入口１０７が設けられていて、蓋２３で塞がれている。白濁水溶液取出口１１１には白濁水溶液取出パイプ２１が連接されている。前記高速流量ノズル１２０には水量調整バルブ１１５を備えた水導入分岐パイプ１１８が連設している。
なお、該水導入分岐パイプ１１８は水量調整バルブ１１５を介して水導入パイプ１０９に連接している。前記サイクロンフィルター１０２下部に不溶解カルシウム回収パイプ１２２が接続されている。該不溶解カルシウム回収パイプ１２２はカルシウムミキシングパイプ１２３に組み込まれたエジェクター１１０に接続されている。前記筒状底部１０１ｂの内側には高速流量ノズル１２０の取付位置と高速流量ノズル１２０の取付位置との間に流量調整板１０６が設けられている。なお、該流量調整板１０６は水導入方法向けて下方に傾斜した状態で設けられている。前記流量調整板１０６はパンチング板が用いられているが、必ずしもパンチング板である必要はない。
つぎに、本発明の第二の実施形態の焼成カルシウム飽和溶液生成装置による焼成カルシウム飽和溶液の生成法を説明する。
水導入パイプ１０９より水量調整バルブ１１５、１１５を開け、水道水を装置本体１０１へ約半分ほど貯水し水導入パイプ１０９に連接する水量調整バルブ１１５を閉める。次に粒状焼成カルシウム投入口１０７を開け粒状焼成カルシウムを投入し、粒状焼成カルシウム投入口１０７を閉める。３０分後にエジェクター１１０に連接した水量調整バルブ１１５を全開し、水導入分岐パイプ１１８と水導入パイプ１０９に連接した水量調整バルブ１１５を７０％開ける。すると、図６に示すように高速流量ノズル１２０より装置本体１０１へ水道水が回転しながら供給されることにより、投入された粒状焼成カルシウムが遠心力により攪拌され水流調整板１０６の働きも加わり、溶解、攪拌されて、カルシウム飽和溶液が生成される。また、装置本体１０１内部の空気はエアーベント１２１より外部へ放出される。
なお、未溶解粒状焼成カルシウムが残ると白濁となり、白濁水溶液取出口１１１より水溶液取出パイプ２１を経由してサイクロンフィルター１０２へと導かれ高回転運動により未溶解カルシウムは不溶解カルシウム回収パイプ１２２を経由し、エジェクター１１０の作用により不溶解カルシウムは粒状カルシウム溶解タンク返却パイプ１１７を経由し、装置本体１０１へ還元される。